【事件の表示】
　特願２００２−１９９７３０「表示駆動装置及びその駆動制御方法」拒絶査定不服審判事件〔平成１６年　２月１２日出願公開、特開２００４−　４５４８８〕について、次のとおり審決する。
【結　論】
　本件審判の請求は、成り立たない。
【理　由】
第１　手続の経緯
　本願は、平成１４年７月９日の出願であって、平成１９年４月３日付け（発送日：平成１９年４月５日）で拒絶査定がなされ、これに対して平成１９年５月２日に拒絶査定不服審判の請求がなされるとともに、平成１９年５月３１日付けで明細書を対象とする手続補正がなされたものであって、当審において、平成１９年５月３１日付け手続補正を、平成２１年６月４日付けの補正の却下の決定により却下した後、同日付け（発送日：平成２１年６月５日）で拒絶の理由（以下、「当審拒絶理由」という。）を通知したところ、これに対して平成２１年８月４日付けで意見書が提出されるとともに、同日付けで明細書を対象とする手続補正がなされたものである。
　
第２　当審拒絶理由の概要
（１）本件出願の請求項１乃至１９に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
 　　　　　記　　　（引用文献等については引用文献等一覧参照）
　
 ・請求項　　　１、１７−１８
 ・引用文献等　１−２
 ・備考
 　引用文献１には、単純マトリクスの有機ＥＬの発光ディスプレイにおいて、定電流源により次行の発光素子に駆動電流を供給する前に、全ての陰極線を逆バイアス電源に接続したまま、次行において発光が選択される陽極線を、所望の輝度で発光させたときの順方向電圧である充電電圧に接続することが記載されている。そして、次行の発光素子が発光するかしないかに関わらずプリチャージすることは、引用文献２の段落【０００２】−【００１１】に記載されているように当該分野において周知である
　
 ・請求項　　　２−８、１０、１２−１３、１９
 ・引用文献等　１−２
 ・備考
 　当該技術分野において、ＰＷＭ制御を行うことは周知である。
　
 ・請求項　　　９
 ・引用文献等　１−３
 ・備考
 　引用文献３の段落【００２７】、【００３１】には、電流駆動する前にＥＬ素子の寄生容量を充電する電圧の電圧値を、配線抵抗による電圧降下を考慮したものとすることが記載されている。引用文献１、３に記載された発明は、いずれも電流駆動前にプリチャージを行うＥＬ表示装置であるから、引用文献１に記載された発明において、引用文献３に記載のように配線抵抗による電圧降下を考慮した上で、充電電圧（本願発明の「第１の一定電圧」に相当。）を最適な値にすることは、当業者が容易に想到し得ることである。
　
 ・請求項　　　１１
 ・引用文献等　１−３
 ・備考
 　引用文献１に記載された発明において、逆バイアス電源の電圧（本願発明の「第３の一定電圧」に相当。）は、非選択時の電圧であり、電流源により電流が供給されているかどうかに関わらず、発光素子を発光させないように設定されているものである。そして、一番下の行が選択されている時に、電流源により電流が供給されていれば、陽極線には最高電圧が印加されていることになるが、そのような時にも発光していないのであるから、逆バイアス電源の電圧は、最高電圧から閾値電圧を減算した電圧よりも高くなるように設定されていることは明らかである。
　
 ・請求項　　　１４−１５
 ・引用文献等　１−４
 ・備考
 　引用文献４のＦＩＧ．８−１０及びその説明を参照されたい。
　
 ・請求項　　　１６
 ・引用文献等　１−５
 ・備考
 　引用文献５のＦＩＧ．９及びその説明を参照されたい。
　
　
 　　　　　　　　　　　　引　用　文　献　等　一　覧
　
 １．特開２００１−５１６５０号公報
 ２．特開２０００−２０００６７号公報
 ３．特開２０００−２５０４７６号公報
 ４．国際公開０２／３９４２０号
 ５．特開平２−１０５９０７号公報
　
第３　当審の判断
１　本願発明
　平成２１年８月４日付けの手続補正により補正された明細書の特許請求の範囲の請求項１には、
「【請求項１】　行及び列方向に延伸して配設された複数の走査電極線及び信号電極線の各交点に、陰極が前記走査電極線に接続され、陽極が信号電極線に接続された電流駆動型の表示素子が複数配列された表示パネルに対して、定電流制御による表示信号に応じた所定の駆動電流を供給することにより、前記表示素子を所定の駆動状態で動作させる表示駆動装置において、
　前記表示素子に設定される所定の選択期間内における、
前記走査信号線
　前記駆動電流供給部による前記駆動電流の供給動作に先立つ、
前記走査信号線
　を備え、
　前記第２の走査電極電位は、前記第１の一定電圧の電位より低い電位であり、前記第１の一定電圧の電位から前記表示素子の閾値電圧を減算した値より高い電位を有することを特徴とする表示駆動装置。」
と記載されている（下線は、当審が付与した。）。
　
　しかしながら、「
前記走査信号線
前記走査信号線
走査電極線
前記走査電極線
　したがって、請求項１に係る発明を請求項１の記載のとおりに認定することができない。
　
　そこで、請求項１の記載をみるに、表示素子の陰極には「走査電極線」が、陽極には「信号電極線」が接続されており、選択期間においては、「信号電極線」を介して駆動電流が流れ、「走査信号線」の電位は表示素子に電流の流れる電位となっていることから、「走査電極線」と「走査信号線」とは、同一の配線を意味していると解することができる。
　したがって、請求項１に記載された「走査信号線」（２箇所）は、「走査電極線」の誤記と認定することができる。
　
　よって、本願の請求項１に係る発明は、平成２１年８月４日付けの手続補正により補正された明細書及び図面の記載からみて、以下のとおりのものと認める。（以下「本願発明」という。下線は、当審において修正した箇所を示す。）
　
「【請求項１】　行及び列方向に延伸して配設された複数の走査電極線及び信号電極線の各交点に、陰極が前記走査電極線に接続され、陽極が信号電極線に接続された電流駆動型の表示素子が複数配列された表示パネルに対して、定電流制御による表示信号に応じた所定の駆動電流を供給することにより、前記表示素子を所定の駆動状態で動作させる表示駆動装置において、
　前記表示素子に設定される所定の選択期間内における、前記
走査電極線
　前記駆動電流供給部による前記駆動電流の供給動作に先立つ、前記
走査電極線
　を備え、
　前記第２の走査電極電位は、前記第１の一定電圧の電位より低い電位であり、前記第１の一定電圧の電位から前記表示素子の閾値電圧を減算した値より高い電位を有することを特徴とする表示駆動装置。」
　
２　引用刊行物に記載された発明
　当審拒絶理由で引用され、本願の出願前の平成１３年２月２３日に頒布された刊行物である特開２００１−５１６５０号公報（以下、「引用刊行物１」という。）には、「発光ディスプレイ装置及びその駆動方法」の発明に関して、図面とともに以下の事項が記載されている。
　
＜記載事項１＞
「【０００２】
【従来の技術】…。
　
（中略）
　
【０００４】かかる有機ＥＬ素子の電圧Ｖ−電流Ｉ−輝度Ｌの特性は、ダイオードの特性に類似しており、発光閾値Ｖth以下の電圧では電流Ｉはきわめて小さく、発光閾値Ｖth以上の電圧になると電流Ｉは急激に増加する。また、電流Ｉと輝度Ｌはほぼ比例する。このような有機ＥＬ素子は、発光閾値Ｖthを超える駆動電圧を素子に印加すれば当該駆動電圧に応じた電流に比例した発光輝度を呈し、印加される駆動電圧が発光閾値Ｖth以下であれば駆動電流が流れず発光輝度もゼロに等しいままである。
【０００５】…。
【０００６】陰極線走査回路１は、各陰極線Ｋl〜ＫNに対応し、各陰極線を順次走査するための走査スイッチ１Ｓ1〜１ＳNを備えている。各走査スイッチ１Ｓ1〜１ＳNは、逆バイアス電圧ＶCC （例えば、２０Ｖ）及びアース電位（０Ｖ）のうちのいずれか一方を、対応する陰極線に接続する。逆バイアス電圧ＶCC は走査されていない陰極線が接続されるものであり、走査されていない陰極線に接続された発光素子の誤発光を防止するものである。
　
（中略）
　
【００１０】フルカラー型の単純マトリクス発光ディスプレイのリセット駆動法について図２〜図４を参照して説明する。なお、説明を分かり易くするために、以下に述べる図２〜図４に示す動作は、陰極線Ｋlを走査して画素Ｅl,1の全ての発光素子を発光させた後、陰極線Ｋ2に走査を移行して画素Ｅ2,2の全ての発光素子を発光させる場合を例として説明する。なお、発光している発光素子についてはダイオード記号で示し、発光していない発光素子についてはコンデンサ記号で示している。
【００１１】図２は画素Ｅl,1の全ての発光素子（Ｒ1,1、Ｇ1,1、Ｂ1,1）を発光させた状態を示す。この状態においては、走査スイッチ１Ｓ1はアース電位側に接続され、陰極線Ｋlが走査されている。また走査スイッチ１Ｓ2〜１ＳNは定電圧源側に接続され、陰極線Ｋ2〜ＫNには逆バイアス電圧Ｖｃｃが印加されている。一方、陽極線ＡR,1、ＡG,1、ＡB,1はドライブスイッチ６R,1、６G,1、６B,1によって定電流源２R,1、２G,1、２B,1に接続され、シャントスイッチ７R,1、７G,1、７B,1は開放されている。また、他の陽極線ＡR,2〜ＡR,M、ＡG,2〜ＡG,M、ＡB,2〜ＡB,Mはシャントスイッチ７R,2〜７R,M、７G,2〜７G,M、７B,2〜７B,Mによってアース電位に接続され、ドライブスイッチ６R,2〜６R,M、６G,2〜６G,M、６B,2〜６B,Mは開放されている。
【００１２】従って、図２の場合、画素Ｅl,1の発光素子（Ｒ1,1、Ｇ1,1、Ｂ1,1）のみが順方向にバイアスされ、定電流源２R,1、２G,1、２B,1から矢印で示す方向に駆動電流が流れ込み、画素Ｅl,1の発光素子（Ｒ1,1、Ｇ1,1、Ｂ1,1）のみが発光している。尚、このとき、画素Ｅl,2〜Ｅl,Nの発光素子Ｒl,2〜Ｒl,N、Ｇl,2〜Ｇl,N、Ｂl,2〜Ｂl,Nは定電流源２R,1、２G,1、２B,1に接続されるが、陰極線が定電圧源に接続され逆バイアス電圧Ｖccとされていることにより、発光素子の両端電圧がほぼ０ｖとなり発光しない。また、画素Ｅ2,1〜ＥM,1の発光素子は両端がアース電位に接続されるため発光しない。また、その他の画素の発光素子は逆方向にバイアスされるため発光せず、発光素子は図示される如き極性に充電される（コンデンサにハッチングして示す）。
【００１３】陰極線Ｋlの走査が終了すると陰極線Ｋ2の走査に移行するが、その直前に、以下のようなリセット制御が行われる。すなわち、図３に示されるように、全ての陽極線ＡR,1〜ＡR,M、ＡG,1〜ＡG,M、ＡB,1〜ＡB,Mと陰極線Ｋ1〜ＫNを一旦アース電位にシャントし、オールリセットを行う。すなわち、全てのドライブスイッチ６R,1〜６R,M、６G,1〜６G,M、６B,1〜６B,Mをオフするとともに全ての走査スイッチ１Ｓ1〜１ＳNと全てのシヤントスイッチ７R,1〜７R,M、７G,1〜７G,M、７B,1〜７B,Mをアース電位側に切り換える。これにより、陽極線と陰極線のすべてが０Ｖの同電位になるので、各発光素子に充電されていた電荷はすべて放電する。
【００１４】その後、図４に示すように陰極線Ｋ2の走査に移行する。すなわち、陰極線Ｋ2に対応する走査スイッチ１Ｓ2のみをアース電位側に切り換えるとともに他の走査スイッチ１Ｓ1，１Ｓ3〜１ＳNを逆バイアス電圧Ｖccに接続し、ドライブスイッチ６R,2、６G,2、６B,2を定電流源２R,2、２G,2、２B,2に切り換えるとともに、シヤントスイッチ７R,1，７G,1，７B,1、（７R,3，７G,3，７B,3）〜（７R,M，７G,M，７B,M）をオンして陽極線（ＡR,3，ＡG,3，ＡB,3）〜（ＡR,M，ＡG,M，ＡB,M）の電位を０Ｖにする。
【００１５】このようにスイッチを切り換えた瞬間において、上述したようにすべての発光素子の充電電荷は０とされているので陽極線ＡR,2，ＡG,2，ＡB,2の電位は約Ｖｃｃとなる。すると次に発光させる画素Ｅ2,2の発光素子（Ｒ2,2、Ｇ2,2、Ｂ2,2）には、図４に矢印で示す複数のルートから充電電流が一気に流れ込み、それぞれの発光素子の寄生容量は瞬時に充電され、所望の瞬時輝度で発光する。」
　
＜記載事項２＞
「【００１６】
【発明が解決しようとする課題】しかし、かかるリセット駆動法を実行する単純マトリクス発光ディスプレイにおいて、発光する素子の並列容量成分に充電された電荷を各走査の開始前にオールリセットにより放電するので、特に、表示点灯率の低い画像表示において、無駄な消費電力があるという欠点がある。
【００１７】更に、赤、緑、青（Ｒ、Ｇ、Ｂ）の異なる色の発光素子はそれぞれ発光材料など素子構造がそれぞれ異なっているため、輝度一電圧特性もそれぞれ異なっている。従って、従来のリセット駆動法の場合では、Ｒ、Ｇ、Ｂの発光素子のうち、発光規定電圧がＶccに近いものは素早く所望の瞬時輝度で発光することができるが、両端電圧の規定値がＶccよりも大きいものは、所望の瞬時輝度で発光するために定電流源から流れ込む駆動電流による更なる充電が必要となり、発光立ち上がりが遅れてしまうという問題がある。また、パルス幅変調駆動などの走査期間内における発光時間の長短によって輝度階調を表現する駆動法を行う場合は、階調のリニアリティが悪くなるという問題がある。
【００１８】本発明は、上述した点に鑑みてなされたものであり、その目的は、消費電力を増大させることなく、かつ、発光立ち上がりが早い発光ディスプレイ装置を提供することにある。」
　
＜記載事項３＞
「【００２３】
【発明の実施の形態】本発明の実施例を図面を参照しつつ詳細に説明する。尚、以下に説明する図において、実質的に同等な部分には同一の参照符を付している。図５は、本発明の第１の実施例である、有機エレクトロルミネッセンス素子を用いたフルカラー発光ディスプレイ装置の構成を概略的に示している。
【００２４】このディスプレイ装置は、陰極線走査回路１、陽極ドライブ回路２、発光制御回路４、及び発光パネル８を有する。発光制御回路４は、陰極線走査回路１、及び陽極ドライブ回路２に設けられたスイッチと協働して発光パネル８の発光素子の発光制御をなす制御部として機能する。発光パネル８は、上記したようなドライブ線である陽極線ＡR,i、ＡG,i、ＡB,i及び走査線である陰極線Ｋ1 〜ＫNの複数の交差位置にマトリクス状に配置され、かつ走査線及びドライブ線間に接続された複数の有機エレクトロルミネッセンス素子Ｒi,j，Ｇi,j，Ｂi,j（１≦ｉ≦Ｍ，１≦ｊ≦Ｎ）からなる。より詳細には、赤、緑、青の何れかに発光する発光素子Ｒ、Ｇ、Ｂが陽極線及び陰極線に接続されており、それぞれ規則正しく配列されている。すなわち、陽極線ＡR,iの各々にはＮ個の発光素子Ｒが接続され、陽極線ＡG,iの各々には発光素子Ｇが接続され、陽極線ＡB,i（１≦ｉ≦Ｍ）の各々には発光素子Ｂが接続されるといった具合に、陽極線には同色の発光素子だけが接続されるとともに陰極線には発光素子Ｒ、Ｇ、Ｂがこの順を繰り返すように並んで接続されている。そして、隣接する発光素子Ｒ、Ｇ、Ｂを３個１組として単位画素Ｅが形成される（例えば、画素Ｅl,1は発光素子Ｒl,1、Ｇl,1、Ｂl,1からなる。）。そして、図示されるように、Ｍ×Ｎ個の画素Ｅi,j（１≦ｉ≦Ｍ，１≦ｊ≦Ｎ）がマトリクス状に配列されている。」
　
＜記載事項４＞
「【００２５】陰極線走査回路１は、各陰極線Ｋl〜ＫNに対応し、各陰極線を順次走査するための走査スイッチ１Ｓ1〜１ＳNを備えている。各走査スイッチ１Ｓ1〜１ＳNは、逆バイアス電圧（例えば、２０Ｖ）を供給する定電圧源ＶK（逆バイアス電源）及びアース電位（０Ｖ）のうちのいずれか一方を、対応する陰極線に接続する。逆バイアス電源ＶKは走査されていない陰極線が接続されるものであり、走査されていない陰極線に接続された発光素子の誤発光を防止するものである。
【００２６】陽極ドライブ回路２は、駆動源である定電流源２R,i（１≦ｉ≦Ｍ）と、発光素子Ｒ、Ｇ、Ｂのそれぞれに対応する充電電圧（オフセット電圧）を供給する定電圧源（充電電源）ＶR、ＶG、ＶBと、を備えている。また、陽極ドライブ回路２は、各陽極線を定電流源（２R,i、１≦ｉ≦Ｍ）、充電電源（ＶR、ＶG、又はＶB）、逆バイアス電源（ＶK）、又はアース電圧（０Ｖ）に選択的に接続するためのドライブスイッチ６R,i、６G,i、６B,i（１≦ｉ≦Ｍ）を備えている。ここで、充電電源ＶR、ＶG、ＶBは、それぞれ発光素子Ｒが接続される陽極線、発光素子Ｇが接続される陽極線、発光素子Ｂが接続される陰極線に対応して設けられており、図示されるように、陽極線ＡR,iには充電電源ＶR、陽極線ＡG,iには充電電源ＶG、陽極線ＡB,iには充電電源ＶBがそれぞれ接続可能に設けられている（１≦ｉ≦Ｍ）。尚、充電電源ＶR、ＶG、ＶBの各電圧は、Ｒ、Ｇ、Ｂの発光素子のそれぞれを所望の輝度で発光させたときのその素子の順方向電圧に実質的に等しい電圧であることが好ましい。」
　
＜記載事項５＞
「【００２７】次に、本発明の第１の実施例である、フルカラー発光ディスプレイ装置に適用される駆動方法について、図６〜図１１を参照して詳細に説明する。尚、以下では、陰極線Ｋlを走査して第１ラインの画素Ｅi,1の発光素子Ｒi,1、Ｇi,1、Ｂi,1（１≦ｉ≦Ｍ）を「発光」又は「非発光」とさせた陰極線Ｋ2に走査を移行して第２ラインの画素Ｅi,2（１≦ｉ≦Ｍ）の発光素子を「発光」又は「非発光」とさせる場合を例に説明する。また、図を分かり易くするために、図６〜図１１においては、第ｑ列目（１≦ｑ≦Ｍ）の画素Ｅq,jの赤の発光素子Ｒq,j（１≦ｊ≦Ｎ）、及びこれらに関連する陰極線、陽極線、ドライブスイッチ、及び電源についてのみを示し、第１ラインの走査期間においてＲq,1を「非発光」とし、第２ラインの走査期間においてＲq,2を「発光」させる場合について説明する。
【００２８】図６は発光素子Ｒq,1を「非発光」とさせた状態を示す。この状態においては、走査スイッチ１Ｓ1はアース電位に接続され、陰極線Ｋlが選択され走査されている。また走査スイッチ１Ｓ2〜１ＳNは逆バイアス電源に接続され、陰極線Ｋ2〜ＫNには逆バイアス電圧ＶKが印加されている。一方、陽極線ＡR,qはドライブスイッチ６R,qによってアース電位に接続されている。
【００２９】従って、この場合、発光素子Ｒq,1の両端はアース電位に接続され短絡されており、発光しない。一方、陽極線ＡR,qに接続された他の発光素子Ｒq,j（１≦ｊ≦Ｎ）は、陰極が逆バイアス電圧ＶKに、陽極がアース電位に接続されて逆バイアスとなり、逆方向に電荷Ｑ（＝ＣＶK、Ｃは発光素子のキャパシタンス）が充電されている。
【００３０】陰極線Ｋlの走査が終了し、次の陰極線Ｋ2の走査に移行する前に、全ての陽極線ＡR,i、ＡG,i、ＡB,i（１≦ｉ≦Ｍ）及び全ての陰極線Ｋ1 〜ＫNを所定の電位に接続して短絡し、発光パネルの各発光素子に蓄積された電荷の引き抜きを行うリセット動作を行う。すなわち、図７に示されるように、全ての走査スイッチ１Ｓj（１≦ｊ≦Ｎ）及び全てのドライブスイッチ６R,i、６G,i、６B,i（１≦ｉ≦Ｍ）を逆バイアス電源ＶKに切り換える。この切り換えにより、各発光素子は短絡され蓄積された電荷は放電する。尚、この場合では、逆バイアス電圧ＶKをリセット電圧として用いている。
【００３１】更に、次のステップとして、図８に示すように、全ての陰極線Ｋ1 〜ＫNを逆バイアス電源ＶKに接続したまま、ドライブスイッチ６R,i、６G,i、６B,i（１≦ｉ≦Ｍ）のうち、次の走査線の走査期間において「発光」が選択される陽極線のドライブスイッチを充電電源側に切り換える。すなわち、次の走査期間において駆動電源（定電流源）に選択的に接続さるべき陽極線を対応する充電電源（ＶR、ＶG、又はＶB）に接続する。この切り換えにより、選択されるＲ，Ｇ，Ｂの各発光素子にはそれぞれ、ＶR−ＶK、ＶG−ＶK、ＶB−ＶKの電位差（例えば、数Ｖ程度）に対応する電荷が充電される。他方、図９に示すように、次の走査線の走査期間において「非発光」が選択される陽極線のドライブスイッチ（例えば、第ｒラインＡR,rのドライブスイッチ６R,r）はアース電位側に切り換えられる。」
　
＜記載事項６＞
「【００３２】ここで、各発光素子を充電するための電力を比較検討する。例えば、図６に示した状態から陽極線を直接充電電源（ＶR、ＶG、又はＶB）に接続する（図８）場合では、非選択ライン（こ図６においては、Ｋ2〜ＫN）の逆バイアスされた発光素子（Ｎ−１個の素子）を充電するのに大きな電力を必要とする。つまり、逆バイアスされた発光素子の電荷の引き抜きと充電電圧までの充電を充電電源から行う必要があるからである。一方、一旦、逆バイアス電源ＶKに発光素子を接続して電荷の引き抜きを行った後、充電電源に接続する場合では、上記したリセット動作において電力を必要とせず、上記した電位差に対応する電荷を充電すればよいので非選択ラインの発光素子を充電するのに必要な電力を大幅に削減することができる。」
　
＜記載事項７＞
「【００３３】上記した２ステップを経た後、図１０に示すように、充電電源に接続された陽極線のドライブスイッチを定電流源側に切り換える。次の選択ラインである第２ラインＫ2を走査、すなわち、陰極線Ｋ2をアース電位に接続することによって、この選択ラインの発光さるべき発光素子に駆動電流とともに、非選択ラインＫ1，Ｋ3〜ＫNに接続され前のステップにおいて順方向に充電された発光素子から放電電流が供給されるために陽極線線は瞬時に充電電圧になり発光を開始する。
【００３４】以上のステップを経て、図１１に示すように、第２ラインの「発光」が選択された発光素子Ｒq,2は、所望の瞬時輝度で発光する定常発光状態となり、その後、陰極線Ｋ2の走査期間中は定電流源からの駆動電流により発光が維持される。次の選択ライン（第３ライン）以降についても上記したのと同様な手順が繰り返される。」
　
　上記記載事項３、図面の図５からみて、行及び列方向に配設された複数の走査線及び複数のドライブ線の複数の交差位置に、陰極が前記走査線に接続され、陽極が前記ドライブ線に接続された有機エレクトロルミネッセンス素子が配置された発光パネル８が読み取れる。
　
　上記記載事項３、図面の図５からみて、発光制御回路４、陰極線走査回路１、陽極ドライブ回路２からなる表示駆動装置により、発光パネル８が駆動されていることが読み取れる。
　
　上記記載事項４、７、図面の図１１からみて、定電流源からの駆動電流を供給することにより、有機エレクトロルミネッセンス素子を所望の瞬時輝度で発光する定常発光状態とする陽極ドライブ回路２が読み取れる。
　
　上記記載事項４−５、７からみて、走査線が選択される期間における、前記走査線をアース電位に接続した時に、前記有機エレクトロルミネッセンス素子に駆動電流を供給する定電流源と、前記定電流源の前記駆動電流の供給前、前記走査線に逆バイアス電圧を印加した時に、前記逆バイアス電圧を全ての前記ドライブ線に印加し、続いて前記有機エレクトロルミネッセンス素子を所望の輝度で発光させた時の電圧に等しい充電電圧を、次に発光が選択されるドライブ線に印加する充電電源とを、陽極ドライブ回路２が備えていることが読み取れる。
　
　上記記載事項５の「【００３０】…。すなわち、図７に示されるように、全ての走査スイッチ１Ｓj（１≦ｊ≦Ｎ）及び全てのドライブスイッチ６R,i、６G,i、６B,i（１≦ｉ≦Ｍ）を逆バイアス電源ＶKに切り換える。この切り換えにより、各発光素子は短絡され蓄積された電荷は放電する。…。
【００３１】更に、次のステップとして、図８に示すように、全ての陰極線Ｋ1 〜ＫNを逆バイアス電源ＶKに接続したまま、ドライブスイッチ６R,i、６G,i、６B,i（１≦ｉ≦Ｍ）のうち、次の走査線の走査期間において「発光」が選択される陽極線のドライブスイッチを充電電源側に切り換える。すなわち、次の走査期間において駆動電源（定電流源）に選択的に接続さるべき陽極線を対応する充電電源（ＶR、ＶG、又はＶB）に接続する。この切り換えにより、選択されるＲ，Ｇ，Ｂの各発光素子にはそれぞれ、ＶR−ＶK、ＶG−ＶK、ＶB−ＶKの電位差（例えば、数Ｖ程度）に対応する電荷が充電される。…。」との記載と、上記記載事項７の「【００３３】上記した２ステップを経た後、図１０に示すように、充電電源に接続された陽極線のドライブスイッチを定電流源側に切り換える。次の選択ラインである第２ラインＫ2を走査、すなわち、陰極線Ｋ2をアース電位に接続することによって、この選択ラインの発光さるべき発光素子に駆動電流とともに、非選択ラインＫ1，Ｋ3〜ＫNに接続され前のステップにおいて順方向に充電された発光素子から放電電流が供給されるために陽極線線は瞬時に充電電圧になり発光を開始する。」の「順方向に充電された」との記載から、
　ＶK＜ＶRといえる。
　なお、この点は、引用刊行物１に記載のものが、上記記載事項２の「【００１７】更に、赤、緑、青（Ｒ、Ｇ、Ｂ）の異なる色の発光素子はそれぞれ発光材料など素子構造がそれぞれ異なっているため、輝度一電圧特性もそれぞれ異なっている。従って、従来のリセット駆動法の場合では、Ｒ、Ｇ、Ｂの発光素子のうち、発光規定電圧がＶccに近いものは素早く所望の瞬時輝度で発光することができるが、両端電圧の規定値がＶccよりも大きいものは、所望の瞬時輝度で発光するために定電流源から流れ込む駆動電流による更なる充電が必要となり、発光立ち上がりが遅れてしまうという問題」を解決するものであって、発光素子の充電電位をＶcc（２０Ｖ：上記記載事項１の【０００６】参照。）よりも高い電位に充電することにより前記問題を解決していることからもいえる。（ＶKも２０Ｖであり、Ｖｃｃと同電位である。上記記載事項４の【００２５】参照。）
　
　上記記載事項５に「【００３１】更に、次のステップとして、図８に示すように、全ての陰極線Ｋ1 〜ＫNを逆バイアス電源ＶKに接続したまま、ドライブスイッチ６R,i、６G,i、６B,i（１≦ｉ≦Ｍ）のうち、次の走査線の走査期間において「発光」が選択される陽極線のドライブスイッチを充電電源側に切り換える。すなわち、次の走査期間において駆動電源（定電流源）に選択的に接続さるべき陽極線を対応する充電電源（ＶR、ＶG、又はＶB）に接続する。この切り換えにより、選択されるＲ，Ｇ，Ｂの各発光素子にはそれぞれ、ＶR−ＶK、ＶG−ＶK、ＶB−ＶKの電位差（例えば、数Ｖ程度）に対応する電荷が充電される。…。」との記載があり、発光素子に、ＶR−ＶK、ＶG−ＶK、ＶB−ＶKの電位差が印加されている状態で発光していないことが図面の図８から読み取れる。（上記記載事項１の【００１０】には、「発光している発光素子についてはダイオード記号で示し、発光していない発光素子についてはコンデンサ記号で示している。」と記載されており、図８には、コンデンサ記号が示されている。）
　そして、上記記載事項１の【０００４】の、「有機ＥＬ素子は、発光閾値Ｖthを超える駆動電圧を素子に印加すれば当該駆動電圧に応じた電流に比例した発光輝度を呈し、印加される駆動電圧が発光閾値Ｖth以下であれば駆動電流が流れず発光輝度もゼロに等しいままである。」との記載から、
　ＶR−ＶK≦Ｖth
であり、
　ＶK≧ＶR−Ｖth
である。
　以上のことから、逆バイアス電圧ＶKは、充電電圧ＶRより低い電位であり、充電電圧ＶRから発光閾値Ｖthを減算した値以上の電位を有することが読み取れる。
　
　よって、前記記載事項１−５、７及び図面の記載からみて、引用刊行物１には、以下の発明が記載されているものと認められる。
　
「行及び列方向に配設された複数の走査線及び複数のドライブ線の複数の交差位置に、陰極が前記走査線に接続され、陽極が前記ドライブ線に接続された有機エレクトロルミネッセンス素子が配置された発光パネルに対して、定電流源からの駆動電流を供給することにより、有機エレクトロルミネッセンス素子を所望の瞬時輝度で発光する定常発光状態とする表示駆動装置において、
　前記走査線が選択される期間における、前記走査線をアース電位に接続した時に、前記有機エレクトロルミネッセンス素子に駆動電流を供給する定電流源と、
　前記定電流源の前記駆動電流の供給前、前記走査線に逆バイアス電圧を印加した時に、前記逆バイアス電圧を全ての前記ドライブ線に印加し、続いて前記有機エレクトロルミネッセンス素子を所望の輝度で発光させた時の電圧に等しい充電電圧を、次に発光が選択されるドライブ線に印加する充電電源と、
　を備え、
　前記逆バイアス電圧は、前記充電電圧より低い電位であり、前記充電電圧から前記有機エレクトロルミネッセンス素子の発光閾値Ｖthを減算した値以上の電位を有する
　表示駆動装置。」（以下、「引用発明１」という。）
　
３　対比
　本願発明と引用発明１とを対比する。
　
　引用発明１の「行及び列方向に配設された」は、本願発明の「行及び列方向に延伸して配設された」に相当し、同様に、「走査線」は「走査電極線」に、「ドライブ線」は「信号電極線」に、「交差位置」は「交点」に、「有機エレクトロルミネッセンス素子」は「電流駆動型の表示素子」に、「発光パネル」は「表示パネル」に相当する。
　したがって、引用発明１の「行及び列方向に配設された複数の走査線及び複数のドライブ線の複数の交差位置に、陰極が前記走査線に接続され、陽極が前記ドライブ線に接続された有機エレクトロルミネッセンス素子が配置された発光パネル」は、本願発明の「行及び列方向に延伸して配設された複数の走査電極線及び信号電極線の各交点に、陰極が前記走査電極線に接続され、陽極が信号電極線に接続された電流駆動型の表示素子が複数配列された表示パネル」に相当する。
　
　引用発明１は発光ディスプレイ装置に関するものであり、発光ディスプレイ装置である以上、入力された表示信号に応じて、画素を構成する有機エレクトロルミネッセンス素子を発光させていることは明らかである。
　そして、引用発明１の「所望の瞬時輝度で発光する定常発光状態とする」は、本願発明の「所定の駆動状態で動作させる」に相当する。
　したがって、引用発明１の「定電流源からの駆動電流を供給することにより、有機エレクトロルミネッセンス素子を所望の瞬時輝度で発光する定常発光状態とする表示駆動装置」は、本願発明の「定電流制御による表示信号に応じた所定の駆動電流を供給することにより、前記表示素子を所定の駆動状態で動作させる表示駆動装置」に相当する。
　
　引用発明１の「走査線が選択される期間」は、本願発明の「表示素子に設定される所定の選択期間内」に相当し、同様に、「駆動電流を供給する」は「駆動電流を所定期間供給する」に、「定電流源」は「駆動電流供給部」に相当する。
　そして、引用発明１において、アース電位に接続された選択ラインの発光素子に駆動電流を供給している（上記記載事項７の段落【００３３】）から、引用発明１の「アース電位」は本願発明の「表示素子に電流が流れる第１の走査電極電位」に相当する。
　したがって、引用発明１の「走査線が選択される期間における、前記走査線をアース電位に接続した時に、前記有機エレクトロルミネッセンス素子に駆動電流を供給する定電流源」は、本願発明の「表示素子に設定される所定の選択期間内における、前記走査電極線の電位が前記表示素子に電流が流れる第１の走査電極電位とされた期間において、前記各信号電極線を介して前記表示素子に前記駆動電流を所定期間供給する駆動電流供給部」に相当する。
　
　引用発明１の「定電流源の前記駆動電流の供給前」、「充電電源」は、それぞれ本願発明の「駆動電流供給部による前記駆動電流の供給動作に先立つ」、「第１の電圧印加部」に相当する。
　そして、引用発明１の「逆バイアス電圧」は、走査されていない陰極線に接続された発光素子の誤発光を防止するものである（上記記載事項４の段落【００２５】）から、本願発明の「表示素子に電流が流れない第２の走査電極電位」に相当する。
　また、引用発明１の「有機エレクトロルミネッセンス素子を所望の輝度で発光させた時の電圧」における「所望の輝度」は、引用発明１の発光の立ち上がりを早くするという課題からみて、有機エレクトロルミネッセンス素子の陽極に駆動電流を供給して定常発光状態にした時の輝度と解することができるから、引用発明１の「有機エレクトロルミネッセンス素子を所望の輝度で発光させた時の電圧」は、本願発明の「駆動電流によって前記表示素子の陽極に印加される電位」に相当する。引用発明１の「充電電圧」は、本願発明の「所定の第１の一定電圧」に相当する。
　したがって、引用発明１の「定電流源の前記駆動電流の供給前、前記走査線に逆バイアス電圧を印加した時に、前記逆バイアス電圧を全ての前記ドライブ線に印加し、続いて前記有機エレクトロルミネッセンス素子を所望の輝度で発光させた時の電圧に等しい充電電圧を、次に発光が選択されるドライブ線に印加する充電電源」と本願発明の「駆動電流供給部による前記駆動電流の供給動作に先立つ、前記走査電極線の電位が前記表示素子に電流が流れない第２の走査電極電位とされた期間において、前記駆動電流によって前記表示素子の陽極に印加される電位に対応する所定の第１の一定電圧を前記各信号電極線に印加する第１の電圧印加部」とは、「駆動電流供給部による前記駆動電流の供給動作に先立つ、前記走査電極線の電位が前記表示素子に電流が流れない第２の走査電極電位とされた期間の一部の期間において、前記駆動電流によって前記表示素子の陽極に印加される電位に対応する所定の第１の一定電圧を前記信号電極線に印加する第１の電圧印加部」という点で共通する。
　
　引用発明１の「前記充電電圧」、「発光閾値Ｖth」は、それぞれ本願発明の「前記第１の一定電圧の電位」、「閾値電圧」に相当するから、引用発明１の「逆バイアス電圧は、前記充電電圧より低い電位であり、前記充電電圧から前記有機エレクトロルミネッセンス素子の発光閾値Ｖthを減算した値以上の電位を有する」と本願発明の「第２の走査電極電位は、前記第１の一定電圧の電位より低い電位であり、前記第１の一定電圧の電位から前記表示素子の閾値電圧を減算した値より高い電位を有する」とは、「第２の走査電極電位は、前記第１の一定電圧の電位より低い電位であり、前記第１の一定電圧の電位から前記表示素子の閾値電圧を減算した値以上の電位を有する」という点で共通する。
　
　したがって、本願発明と引用発明１の両者は、以下の一致点で一致し、以下の相違点で相違する。
　
＜一致点＞
「行及び列方向に延伸して配設された複数の走査電極線及び信号電極線の各交点に、陰極が前記走査電極線に接続され、陽極が信号電極線に接続された電流駆動型の表示素子が複数配列された表示パネルに対して、定電流制御による表示信号に応じた所定の駆動電流を供給することにより、前記表示素子を所定の駆動状態で動作させる表示駆動装置において、
　前記表示素子に設定される所定の選択期間内における、前記走査電極線の電位が前記表示素子に電流が流れる第１の走査電極電位とされた期間において、前記各信号電極線を介して前記表示素子に前記駆動電流を所定期間供給する駆動電流供給部と、
　前記駆動電流供給部による前記駆動電流の供給動作に先立つ、前記走査電極線の電位が前記表示素子に電流が流れない第２の走査電極電位とされた期間の一部の期間において、前記駆動電流によって前記表示素子の陽極に印加される電位に対応する所定の第１の一定電圧を前記信号電極線に印加する第１の電圧印加部と、
　前記第２の走査電極電位は、前記第１の一定電圧の電位より低い電位であり、前記第１の一定電圧の電位から前記表示素子の閾値電圧を減算した値以上の電位を有する表示駆動装置。」
　
＜相違点１＞
　駆動電流供給部による駆動電流の供給動作に先立つ期間であって、第１の電圧印加部が、前記駆動電流によって表示素子の陽極に印加される電位に対応する所定の第１の一定電圧を信号電極線に印加する期間が、本願発明では、走査電極線の電位が前記表示素子に電流が流れない第２の走査電極電位とされた期間であるのに対して、引用発明１では、走査線に逆バイアス電圧を印加した期間の内、ドライブ線に逆バイアス電圧を印加する期間の後の期間である点。
　
＜相違点２＞
　第１の電圧印加部が、所定の第１の一定電圧を印加する信号電極線が、本願発明では、各信号電極線であるのに対して、引用発明１では、次に発光が選択されるドライブ線である点。
　
＜相違点３＞
　第１の一定電圧の電位から表示素子の閾値電圧を減算した値以上の電位を有する第２の走査電極電位が、本願発明では、第１の一定電圧の電位から表示素子の閾値電圧を減算した値より高い電位を有するのに対して、引用発明１では、充電電圧から有機エレクトロルミネッセンス素子の発光閾値Ｖthを減算した値以上の電位を有する点。
　
４　判断
（１）相違点１
　上記相違点１について検討する。
　本願発明と引用発明１とは、いずれも駆動電流供給部による駆動電流の供給動作に先立つ期間に、信号電極線に、前記駆動電流によって表示素子の陽極に印加される電位に対応する所定の第１の一定電圧が印加されていることに相違ないことから、走査線に逆バイアス電圧を印加する期間に、ドライブ線に逆バイアスを印加することなく、本願発明の「所定の第１の一定電圧」に相当する電圧をドライブ線に印加するように為し、上記相違点１に係る構成とすることに困難性はない。
　
　したがって、上記相違点１に係る本願発明の発明特定事項は、引用刊行物１に記載された発明に基づいて、当業者が容易に想到し得るものである。
　
（２）相違点２
　上記相違点２について検討する。
　本願発明と引用発明１とは、いずれも駆動電流供給部による駆動電流の供給動作に先立つ期間に、前記駆動電流によって表示素子の陽極に印加される電位に対応する所定の第１の一定電圧を信号電極線に印加することによって、駆動電流を供給する表示素子の応答特性を良くする作用効果を奏していることに相違なく、また駆動電流を供給しない表示素子に、前記所定の第１の一定電圧を充電するか否かによって、前記作用効果に差違が生じるものでもないから、引用発明１において、充電電圧を印加するドライブ線を、次に発光が選択されるドライブ線とするか、各ドライブ線（本願発明の「各信号電極線」に相当。）とするかは、当業者が適宜になし得る設計事項に過ぎない。
　
　したがって、上記相違点２に係る本願発明の発明特定事項は、引用刊行物１に記載された発明に基づいて、当業者が容易に想到し得るものである。
　
（３）相違点３
　上記相違点３について検討する。
　発光素子の充電時に印加されるＶＲ−ＶＫの電位差を発光閾値Ｖth以下の範囲内でどの範囲とするかは、発光の立ち上がり特性や、誤発光防止を考慮して、当業者が適宜になし得る設計事項に過ぎない。
　よって、発光素子の充電時に印加されるＶＲ−ＶＫの電位差を発光閾値Ｖthより低くすること、すなわち、第２の走査電極電位が第１の一定電圧の電位から表示素子の閾値電圧を減算した値より高い電位とすることは、当業者が容易に想到し得るものである。
　
　したがって、上記相違点３に係る本願発明の発明特定事項は、引用刊行物１に記載された発明に基づいて、当業者が容易に想到し得るものである。
　
　そして、本願発明によって奏される効果は、引用刊行物１の記載から、当業者が予測し得る程度のものに過ぎない。
　
　したがって、本願発明は、引用刊行物１に記載された発明に基づいて当業者が容易に発明をすることができたものであるから、特許法第２９条第２項の規定により特許を受けることができない。
　
第４　むすび
　以上のとおり、本願発明は、引用刊行物１に記載された発明に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。